(57)【要約】【課題】ケース２にセンサ５を取付けるうえで傾きの発生しない取付け構造を提供する。【解決手段】取付け用孔部３の内壁面３ａ、もしくは反挿入側の端面３ｂに、ブラケット４の係止爪４ｃのうち伸延部４ｂに対してリード線部５ｃを添わせた側の部分４ｄが当接するリブ６を設けた。これは、傾こうとする側の部分４ｄが当接するリブ６を設けて支えることにより傾きを防止するものであり、これにより、ケース２にセンサ５を取付けるうえで傾きの発生しない取付け構造とすることができる。【選択図】　　　　図１
2004082769.tif 000002
【特許請求の範囲】
【請求項１】
センサ部（５ａ）にリード線部（５ｃ）が接続されているセンサ（５）と、
所定長さ伸延する伸延部（４ｂ）の先端側に前記センサ部（５ａ）を固定する固定部（４ａ）が設けられたブラケット（４）とを有し、
前記センサ部（５ａ）近傍を前記固定部（４ａ）に固定すると共に、前記リード線部（５ｃ）を前記伸延部（４ｂ）に添わせた状態で前記ブラケット（４）を筐体（２）の取付け用孔部（３）に挿入して係止することにより、前記センサ部（５ａ）を前記筐体（２）内の適所に配するセンサ取付け構造において、
前記取付け用孔部（３）の内壁面（３ａ）、もしくは反挿入側の端面（３ｂ）に、前記ブラケット（４）の一部（４ｃ）のうち前記伸延部（４ｂ）に対して前記リード線部（５ｃ）を添わせた側の部分（４ｄ）が当接するリブ（６）を設けたことを特徴とするセンサ取付け構造。
【請求項２】
前記ブラケット（４）を前記取付け用孔部（３）に挿入する過程で、前記一部（４ｃ）の位置がずれていた場合に接触してその面上を滑ることで所定の位置となるように案内する斜面（６ｂ）を前記リブ（６）に設けたことを特徴とする請求項１に記載のセンサ取付け構造。
【請求項３】
前記一部（４ｃ）とは、前記ブラケット（４）を前記取付け用孔部（３）に係止するための係止爪（４ｃ）であることを特徴とする請求項１または請求項２に記載のセンサ取付け構造。
【発明の詳細な説明】
【０００１】
【発明の属する技術分野】
本発明は、ケース等にセンサを固定するうえでのセンサ取付け構造に関するものであり、例えば空調装置用エバポレータの冷却空気温度を検出する温度センサを空調ケースに取付ける場合の取付け構造に用いて好適である。
【０００２】
【従来の技術】
図１は、本発明の一実施形態におけるセンサ取付け部の全体構成を示す斜視図であるが、当図を用いて従来のセンサ取付け構造の概要を説明する。１は、例えば車両用空調装置のエバポレータであり、５は、そのエバポレータ１が冷却した空気温度を検出するために空気流れ下流に設置される温度センサである。２は、空調ケースであり、３はその空調ケース２に温度センサ５を固定するために設けられた取付け用孔部である。
【０００３】
エバポレータ１に対してセンサ部５ａを所定の位置で所定距離だけ離間して固定するため樹脂製のブラケット４を用いている。ブラケット４の伸延部４ｂの先に固定部４ａを設けてセンサ部５ａを固定し、リード線部５ｃは伸延部４ｂに添わせた状態でブラケット４を取付け用孔部３に挿入し、ブラケット４に設けた係止爪４ｃで空調ケース２に係止する取付け構造となっている。
【０００４】
【発明が解決しようとする課題】
上記のようにセンサ（５）＆ブラケット（４）を空調ケース２に固定した場合、リード線部５ｃは空調ケース２とブラケット４との間から引き出されることとなる。図４は、そのセンサ＆ブラケットを空調ケース２に取付けた状態を示す水平断面図である。
【０００５】
取付け用孔部３とブラケット４との間には組み付けが容易となるように僅かな隙を持っている。また、リード線部５ｃは空調ケース２とブラケット４との間で略９０度折り曲げて引き出されるため、折り曲げによる反力が生じることとなる。これらにより、図４に示すようにブラケット４のＡ部を支点としてリード線部５ｃを引き出しているＢ側が持ち上げられ、取付け用孔部３との間の隙が詰まるまで傾きが発生するという問題がある。
【０００６】
センサ部５ａの設定位置が空調ケース２から遠い場合、上記傾きによるセンサ部５ａの位置ずれは大きなものとなる。例えば上述した従来例では、エバポレータ１に対する所定距離の離間が達成できずに遠く離れた位置となってしまい、意図したセンサの感知温度よりも高い温度を感知してしまうことにより、エバポレータ１のフロストを防止できないという問題が生じてしまう。本発明は、上記従来の問題に鑑みて成されたものであり、その目的は、筐体にセンサを取付けるうえで傾きの発生しない取付け構造を提供することにある。
【０００７】
【課題を解決するための手段】
本発明は上記目的を達成するために、以下の技術的手段を採用する。請求項１に記載の発明では、センサ部（５ａ）にリード線部（５ｃ）が接続されているセンサ（５）と、所定長さ伸延する伸延部（４ｂ）の先端側にセンサ部（５ａ）を固定する固定部（４ａ）が設けられたブラケット（４）とを有し、センサ部（５ａ）近傍を固定部（４ａ）に固定すると共に、リード線部（５ｃ）を伸延部（４ｂ）に添わせた状態でブラケット（４）を筐体（２）の取付け用孔部（３）に挿入して係止することにより、センサ部（５ａ）を筐体（２）内の適所に配するセンサ取付け構造において、
取付け用孔部（３）の内壁面（３ａ）、もしくは反挿入側の端面（３ｂ）に、ブラケット（４）の一部（４ｃ）のうち伸延部（４ｂ）に対してリード線部（５ｃ）を添わせた側の部分（４ｄ）が当接するリブ（６）を設けたことを特徴とする。
【０００８】
これは、上述のＡ部を支点とした傾きに対して、傾こうとする側の部分（４ｄ）が当接するリブ（６）を設けて支えることにより傾きを防止するものであり、これにより、筐体（２）にセンサ（５）を取付けるうえで傾きの発生しない取付け構造とすることができる。また、挿入方向軸周りの回転方向位置決め形状を兼ねることもできる。
【０００９】
請求項２に記載の発明では、ブラケット（４）を取付け用孔部（３）に挿入する過程で、一部（４ｃ）の位置がずれていた場合に接触してその面上を滑ることで所定の位置となるように案内する斜面（６ｂ）をリブ（６）に設けたことを特徴とする。これは、傾こうとする側が決まっているため、その傾きによる位置ずれを斜面（６ｂ）で拾って所定の位置へ案内することにより、組み付け易さを確保したまま傾きを防止することができる。
【００１０】
請求項３に記載の発明では、一部（４ｃ）とは、ブラケット（４）を取付け用孔部（３）に係止するための係止爪（４ｃ）であることを特徴とする。これは、傾きの支点となるＡ部から遠い所の係止爪（４ｃ）先端側でリブ（６）に当接するため、傾きを防止するのに有効である。尚、上記各手段の括弧内の符号は、後述する実施形態記載の具体的手段との対応関係を示すものである。
【００１１】
【発明の実施の形態】
以下、本発明の実施形態を、図面に基づき説明する。図１は本発明の一実施形態におけるセンサ取付け部の全体構成を示す斜視図であり、図２は図１のセンサ＆ブラケットをケースに取付けた状態を示す水平断面図である。本実施形態は、車両用空調装置の空調ユニットにおいて、エバポレータ１下流側の冷却空気温度を検出する温度センサ５の取付け構造に本発明を適用したものである。
【００１２】
空調ユニットの空調ケース（筐体）２内には、冷凍サイクルの冷媒を蒸発させ、蒸発潜熱により通過する空気を冷却するエバポレータ１が配設されており、空気流れ下流側に温度センサ５がブラケット４により固定されている。センサ５は、温度に応じて抵抗値が変化するサーミスタまたは感温半導体が内部に組込まれたセンサ部５ａと、抵抗値を電気信号として空調装置を制御する制御装置に出力するためのリード線部５ｃとから成り、センサ部５ａとリード線部５ｃとが接続部５ｂで接続されている。５ｄは、電気回路と接続するためのコネクタ部である。
【００１３】
ブラケット４は、空調ケース２の壁面から所定長さ伸延させるための伸延部４ｂと、この伸延部４ｂの先端側に設けられセンサ部５ａを固定する固定部４ａと、空調ケース２に設けられた取付け用孔部３に係止するための係止爪４ｃ等を有し、例えばポリプロピレンのような樹脂材により一体で成形されている。固定部４ａは、２枚の板部でスリットを形成しており、このスリットにセンサ部５ａ近傍のリード線部５ｃを挿入することでセンサ５を挟持している。
【００１４】
更に、リード線部５ｃを伸延部４ｂに添わせた状態でセンサ＆ブラケットを空調ケース２の取付け用孔部３に挿入し、ブラケット４の係止爪４ｃを取付け用孔部３に係止することにより、センサ部５ａを空調ケース２内の適所に配している。また、本実施形態の特徴構成として、取付け用孔部３の内壁面３ａ、もしくは反挿入側の端面３ｂに、ブラケット４の一部（本実施形態では係止爪）４ｃが当接するリブ６を一体にして設けている。
【００１５】
このリブ６には、係止爪４ｃのうち伸延部４ｂに対してリード線部５ｃを添わせた側、いわゆるリード線部５ｃを引き出してＢ点側に持ち上げる力が働き、傾こうとする側の面が当接面４ｄとなり、リブ６の当接面６ａにて支えるようになっている。また、ブラケット４を取付け用孔部３に挿入する過程で、係止爪４ｃの位置が最初から上記傾き側ずれていた場合に接触してその面上を滑ることで所定の位置となるように案内する斜面６ｂをリブ６に設けている。
【００１６】
次に、上記構成による作動について説明する。センサ部５ａで検出される冷却空気の温度信号（温度に基づく抵抗値）がリード線部５ａから図示しない制御装置に入力され、冷凍サイクルを構成する図示しないコンプレッサのＯＮ−ＯＦＦや、空調ユニット内の図示しないエアミックスドアの開度等が制御されることになる。
【００１７】
特にエバポレータ１にとっては、冷却されて凝縮した空気中の水分がエバポレータ１の表面に付着すると、０℃以下に冷やされている場合に氷結したり霜になったりしてエバポレータ１の熱交換効率が低下してしまうが、このセンサ５の温度検出によりコンプレッサのＯＮ−ＯＦＦを制御することで氷結を防止するようにしている。
【００１８】
次に、本実施形態の特徴を述べる。取付け用孔部３の内壁面３ａ、もしくは反挿入側の端面３ｂに、ブラケット４の一部４ｃのうち伸延部４ｂに対してリード線部５ｃを添わせた側の部分４ｄが当接するリブ６を設けている。これは、前述のＡ部を支点とした傾きに対して、傾こうとする側の部分４ｄが当接するリブ６を設けて支えることにより傾きを防止するものであり、これにより、空調ケース２にセンサ５を取付けるうえで傾きの発生しない取付け構造とすることができる。また、挿入方向軸周りの回転方向位置決め形状を兼ねることもできる。
【００１９】
また、ブラケット４を取付け用孔部３に挿入する過程で、ブラケット４の一部４ｃの位置がずれていた場合に接触してその面上を滑ることで所定の位置となるように案内する斜面６ｂをリブ６に設けている。これは、傾こうとする側が決まっているため、その傾きによる位置ずれを斜面６ｂで拾って所定の位置へ案内することにより、組み付け易さを確保したまま傾きを防止することができる。
【００２０】
尚、ブラケット４の一部４ｃとは、本実施形態ではブラケット４を取付け用孔部３に係止するための係止爪４ｃである。これは、傾きの支点となるＡ部から遠い所の係止爪４ｃ先端側でリブ６に当接するため、傾きを防止するのに有効である。
【００２１】
（その他の実施形態）
図３（ａ）・（ｂ）とも、その他の取付け用孔部３の形状例を示す斜視図であり、（ａ）のように取付け用孔部３の反挿入側端面３ｂにのみ当接面６ａを設けても良いし、（ｂ）のように取付け用孔部３の内壁面３ａにのみ当接面６ａと案内する斜面６ｂを設けても良い。
【００２２】
また、上記実施形態では、このセンサ取付け構造を車両用空調装置のエバポレータ１下流側空気の温度を検出するセンサ５に適用したものとして説明したが、本発明はこれに限定されるものではなく、リード線部５ｃを伸延部４ｂの先端側に設けられた固定部４ａに固定し、筐体等に設けた取付け用孔部３に挿入して係止されるものであれば、その他の温度センサや圧力センサ等に同様に適用できる。
【図面の簡単な説明】
【図１】本発明の一実施形態におけるセンサ取付け部の全体構成を示す斜視図である。
【図２】図１のセンサ＆ブラケットをケースに取付けた状態を示す水平断面図である。
【図３】（ａ）・（ｂ）とも、その他の取付け用孔部形状例を示す斜視図である。
【図４】従来のセンサ＆ブラケットをケースに取付けた状態を示す水平断面図である。
【符号の説明】
２　空調ケース（筐体）
３　取付け用孔部
３ａ　内壁面
３ｂ　端面
４　ブラケット
４ａ　固定部
４ｂ　伸延部
４ｃ　係止爪（一部）
４ｄ　当接部（部分）
５　センサ
５ａ　センサ部
５ｃ　リード線部
６　リブ
６ｂ　斜面
【図１】
2004082769.tif 000003
【図２】
2004082769.tif 000004
【図３】
2004082769.tif 000005
【図４】
2004082769.tif 000006